(57)【要約】【課題】光ポインティング装置の部品点数を少なくして、かつ、撮像素子への外乱光の入射を防止する。【解決手段】被写体１３に光Ｍを照射する光源２と、被写体１３からの反射光Ｌを反射させて内部を導光させるカバー部４と、カバー部４によって導光された光を受光する撮像素子３とを備え、カバー部４が光源２および撮像素子３を保護するものであり、光ポインティング装置の少なくとも１つの側面から入射する外乱光１６が撮像素子３に入射することを抑制する外乱光抑制手段を備える。【選択図】図１
2012048569.tif 000002
【特許請求の範囲】
【請求項１】
被写体に光を照射する光源と、前記被写体からの反射光を反射させて内部を導光させる導光体と、前記導光体によって導光された光を受光する撮像素子とを備え、前記導光体が前記光源および前記撮像素子を保護する機能を備える光ポインティング装置であって、
該光ポインティング装置の少なくとも１つの側面から入射する光が前記撮像素子に入射することを抑制する外乱光抑制手段を備えることを特徴とする光ポインティング装置。
【請求項２】
前記外乱光抑制手段は、前記導光体の一部であって、前記導光体の上表面と前記側面である前記導光体の側面との間に位置し、当該側面に対して傾いている斜面を形成するものであることを特徴とする請求項１に記載の光ポインティング装置。
【請求項３】
前記斜面は、平面であることを特徴とする請求項２に記載の光ポインティング装置。
【請求項４】
前記斜面は、曲面であることを特徴とする請求項２に記載の光ポインティング装置。
【請求項５】
前記斜面は、凹凸のある面であることを特徴とする請求項２〜４の何れか１項に記載の光ポインティング装置。
【請求項６】
前記外乱光抑制手段は、前記斜面上に光を反射する反射膜を備えるものであることを特徴とする請求項２〜５の何れか１項に記載の光ポインティング装置。
【請求項７】
前記外乱光抑制手段は、前記斜面上に光を吸収する吸収膜を備えるものであることを特徴とする請求項２〜５の何れか１項に記載の光ポインティング装置。
【請求項８】
前記光源および前記撮像素子は、基板上に配置されて、それぞれ透明樹脂で樹脂封止されており、
前記外乱光抑制手段は、前記基板上の、前記光源および前記撮像素子より前記側面側に位置し、遮光性樹脂で成型されたものであることを特徴とする請求項１に記載の光ポインティング装置。
【請求項９】
前記外乱光抑制手段は、遮光性樹脂で成型されたものであって、前記側面側の前記導光体の側面と接しており、前記側面を形成する光ポインティング装置の側壁であることを特徴とする請求項１に記載の光ポインティング装置。
【請求項１０】
前記外乱光抑制手段は、前記被写体が接触する接触面を除く、前記導光体の上表面を覆うことを特徴とする請求項９に記載の光ポインティング装置。
【請求項１１】
請求項１〜１０の何れか１項に記載の光ポインティング装置を備えることを特徴とする電子機器。
【請求項１２】
電子機器の通常の使用態様において、前記光源と前記撮像素子を結ぶ直線と交差する光ポインティング装置の側面のうち、前記光源側の側面が下方に向くように、前記光ポインティング装置を配置することを特徴とする請求項１１に記載の電子機器。
【発明の詳細な説明】
【技術分野】
【０００１】
本発明は、入力装置に関し、より詳細には、携帯電話等の携帯情報端末に搭載可能な光ポインティング装置に関するものである。
【背景技術】
【０００２】
携帯電話やＰＤＡ（Ｐｅｒｓｏｎａｌ  Ｄｉｇｉｔａｌ  Ａｓｓｉｓｔａｎｔｓ）などの携帯情報端末では、一般的に、情報を入力するユーザーインターフェースとしてキーパッドが採用されている。キーパッドは、通常、数字及び文字を入力するための複数個のボタンと方向ボタンとで構成されている。
【０００３】
また、近年では携帯情報端末のディスプレイ部にグラフィックなどの表現が可能となることに伴い、ユーザに対する情報の表示方式として、ディスプレイ部を２次元で用いるＧＵＩ（Graphical User Interface）が採用されるようになった。
【０００４】
このように携帯情報端末が高機能化し、コンピュータと同等の表示機能を備えることにより、メニューキーおよびその他の機能キーを方向キーとして用いる、従来の携帯情報端末の入力手段では、ＧＵＩで表現されたアイコン等の選択には適しておらず、不便であった。そのため、携帯情報端末においても、コンピュータに用いられているマウスやタッチパッドと同様の操作性を有するポインティング装置が求められるようになった。
【０００５】
そこで、携帯情報端末に搭載可能なポインティング装置として、装置に接触する指先等の被写体の模様を撮像素子で観察し、接触面における被写体の模様の変化を抽出することによって、被写体の動きを検知する光ポインティング装置が提案されている。具体的に、光ポインティング装置では、接触面上の被写体に光を照射し、被写体の模様をレンズで撮像素子に結像させ、模様の変化を検出することで被写体の動きを検知している。
【０００６】
光ポインティング装置は、接触面上の被写体から反射された光を撮像素子に結像させるために、接触面から撮像素子までの距離（被写体からの反射光の光路長）をある程度必要とする。そのため、接触面の下部にレンズおよび撮像素子を配置する光ポインティング装置では、接触面に対して垂直方向の長さを短く設計することができなかった。光ポインティング装置の垂直方向の長さは、装置の厚みである。つまり、上述の光ポインティング装置では、装置の薄型化が困難であった。しかしながら、携帯情報端末では、装置の厚みが薄いことが求められるため、光ポインティング装置においてもその厚みである垂直方向の長さを短くすることが求められる。
【０００７】
このような要求を満たすため、接触面の直下にプリズム等の折り曲げ光学素子を配置し、被写体からの反射光を水平方向に折り曲げて撮像素子に結像する光ポインティング装置が提案されている。例えば、特許文献１には、被写体から反射された光を水平方向に反射する反射鏡と、水平の光経路上に対向して垂直に設置された集光レンズおよびイメージセンサとを備える光ポインティング装置が開示されている。
【０００８】
また、光ポインティング装置の誤動作を抑制して高精度に動作させるために、太陽光や照明等の外乱光が撮像素子に入射することを抑制する光ポインティング装置が提案されている。例えば、特許文献２には、光学式ジョイスティックのカバー部の被写体との接触面以外の部分を非透過部とし、カバー部の内部に、外乱光を遮蔽する遮蔽部を設けることが記載されている。
【０００９】
以下に、特許文献２に記載の光学式ジョイスティックの構成を図１５に基づいてより詳細に説明する。図１５は、特許文献２に記載の光学式ジョイスティックの構成を示す図である。図１５に示すように、光学式ジョイスティック２００は、光源２１０と、カバー部２２０と、ホルダ２５０の収容溝２５１に収容される光学部材２４０と、回路基板２３２に搭載された、光検出のための受光部２３０とを含む。光学部材２４０は、結像のための集光レンズ２４３と、光経路を水平に変換するためのプリズム２４１、２４２とを備える。
【００１０】
また、光学式ジョイスティック２００は、太陽光や照明光等の外部の雑光（外乱光）を遮蔽するための雑光遮蔽部２６１、２６２、２６３をさらに備える。
【００１１】
また、カバー部２２０は、ホルダ２５０を取り囲むリム２２１と、前面プレート２２２とを含み、前面プレート２２２は、光が透過される透過部２２２ａと、光が透過されない非透過部２２２ｂとに区画される。
【００１２】
このように、特許文献２に記載の光学式ジョイスティックでは、カバー部２２０の非透過部２２２ｂと、カバー部２２０の内部に配置されている雑光遮蔽部２６１、２６２、２６３とによって、外乱光が光学式ジョイスティックの受光部２３０に入射することを抑制する。
【先行技術文献】
【特許文献】
【００１３】
【特許文献１】特表２００８−５０７７８７号公報（２００８年３月１３日公表）
【特許文献２】特開２００９−１７６２７１号公報（２００９年８月６日公開）
【発明の概要】
【発明が解決しようとする課題】
【００１４】
ここで、光ポインティング装置を搭載する携帯情報端末は、携帯して使用されることから、あらゆる環境下で利用される可能性がある。すなわち、どのような環境にあっても、携帯情報端末を利用できるようにするためには、あらゆる環境下において、携帯情報端末に搭載される光ポインティング装置は、誤動作なく動作することが求められる。例えば、太陽光が照りつける屋外、または、蛍光灯などの照明による光が照射される屋内であっても、光ポインティング装置が正常に動作することが求められる。
【００１５】
外乱光が光ポインティング装置に照射される環境下において、光ポインティング装置に入射した外乱光が、被写体からの反射光を受光する撮像素子に入射すると、撮像素子は、本来検出すべき像とは異なる像を検出するため、正確に被写体を検出することができなくなる。その結果、光ポインティング装置において、誤動作が発生する。
【００１６】
そこで、外乱光が光ポインティング装置の撮像素子に入射することを防止するために、特許文献２に記載の光学式ジョイスティックのように、雑光遮蔽部を設けることが一般的に考えられる。この場合、外乱光の入射を防止する遮光部を多数配置することにより、光ポインティング装置の撮像素子に入射する外乱光をより防止することができるが、その一方で、光ポインティング装置を構成する部品点数が多くなるという弊害を伴う。部品点数が多くなると、各部品自体の厚みや、各部品において組み立てのための構造が形成されることにより、光ポインティング装置を薄型化することが困難となる。
【００１７】
また、光ポインティング装置の部品点数が増加すると、組み立てまたは貼り付け等の光ポインティング装置の製造工程数が増加する。組み立てまたは貼り付け等の工程において、各部品の位置ずれによる組立公差が発生する可能性があるため、組み立てまたは貼り付け等の工程数が増加すると、光ポインティング装置の検知精度を高く維持することが困難になる。さらに、光ポインティング装置の部品点数が増加することにより、光ポインティング装置のコストが高くなるという問題もある。
【００１８】
すなわち、特許文献２に記載の光学式ジョイスティックの構造では、撮像素子への外乱光の入射を防止することはできるが、光ポインティング装置の薄型化を図ることが難しく、また、光ポインティング装置の検知精度を高く維持することや、光ポインティング装置のコストを低減することも困難である。
【００１９】
本発明は、上記の問題点に鑑みてなされたものであり、その目的は、部品点数が少なく、かつ、撮像素子への外乱光の入射を抑制する光ポインティング装置およびそれを備える電子機器を実現することにある。
【課題を解決するための手段】
【００２０】
本発明に係る光ポインティング装置は、上記課題を解決するために、被写体に光を照射する光源と、前記被写体からの反射光を反射させて内部を導光させる導光体と、前記導光体によって導光された光を受光する撮像素子とを備え、前記導光体が前記光源および前記撮像素子を保護する機能を備える光ポインティング装置であって、該光ポインティング装置の少なくとも１つの側面から入射する光が前記撮像素子に入射することを抑制する外乱光抑制手段を備えることを特徴としている。
【００２１】
上記の構成によれば、前記導光体が、前記光源および前記撮像素子を保護する機能と、前記被写体からの反射光を反射させて内部を導光させる機能とを備える。このように、導光体が２つの機能を備えることにより、光ポインティング装置を構成する部品点数を少なくすることができる。
【００２２】
また、光ポインティング装置は、該光ポインティング装置の少なくとも１つの側面から入射する光が前記撮像素子に入射することを抑制する外乱光抑制手段とを備える。そのため、光ポインティング装置の側面から入射する光が前記撮像素子に入射することを抑制することができる。その結果、光ポインティング装置の誤動作の発生を抑えることができる。
【００２３】
したがって、光ポインティング装置を構成する部品点数を少なくすると共に、撮像素子への外乱光の入射を抑制することができるという効果を奏する。
【００２４】
本発明に係る光ポインティング装置は、前記外乱光抑制手段が、前記導光体の一部であって、前記導光体の上表面と前記側面である前記導光体の側面との間に位置し、当該側面に対して傾いている斜面を形成するものであることが好ましい。
【００２５】
上記の構成によれば、前記外乱光抑制手段は、前記導光体の一部である。そのため、新たな部品を設けることなく、撮像素子への外乱光の入射を抑制することができる。また、前記外乱光抑制手段は、前記導光体の上表面と前記側面である前記導光体の側面との間に位置し、当該側面に対して傾いている斜面を形成するものであるため、例えば、前記導光体の稜辺を面取りすることによって、前記外乱光抑制手段を形成することができるため、光ポインティング装置の製造工程数を抑えることが容易である。
【００２６】
本発明に係る光ポインティング装置は、前記斜面が、平面であることが好ましい。
【００２７】
上記の構成によれば、前記斜面の前記側面に対する角度を適宜設計することにより、前記側面から入射する光を、前記撮像素子に入射しないように、反射または屈折させることができる。
【００２８】
本発明に係る光ポインティング装置は、前記斜面が、曲面であることが好ましい。
【００２９】
上記の構成によれば、前記斜面の曲率を適宜設計することにより、前記側面から入射する光を、前記撮像素子に入射しないように、反射または屈折させることができる。
【００３０】
本発明に係る光ポインティング装置は、前記斜面が、凹凸のある面であることが好ましい。
【００３１】
上記の構成によれば、前記斜面が、凹凸のある面である。そのため、斜面において、前記側面から入射する光がより散乱するため、前記側面から光ポインティング装置に入射する光を減衰させることができる。よって、撮像素子への外乱光の入射をより効果的に抑制できる。
【００３２】
本発明に係る光ポインティング装置は、前記外乱光抑制手段が、前記斜面上に光を反射する反射膜を備えるものであることが好ましい。
【００３３】
上記の構成によれば、前記外乱光抑制手段が、前記斜面上に光を反射する反射膜を備える。そのため、前記斜面において、前記側面から入射する光を反射させて、当該光が前記側面から光ポインティング装置に入射することを防ぐことができる。よって、撮像素子への外乱光の入射をより効果的に抑制できる。
【００３４】
本発明に係る光ポインティング装置は、前記外乱光抑制手段が、前記斜面上に光を吸収する吸収膜を備えるものであることが好ましい。
【００３５】
上記の構成によれば、前記外乱光抑制手段が、前記斜面上に光を吸収する吸収膜を備える。そのため、前記斜面において、前記側面から入射する光を吸収して、当該光が前記側面から光ポインティング装置に入射することを防ぐことができる。よって、撮像素子への外乱光の入射をより効果的に抑制できる。
【００３６】
本発明に係る光ポインティング装置は、前記光源および前記撮像素子が、基板上に配置されて、それぞれ透明樹脂で樹脂封止されており、前記外乱光抑制手段が、前記基板上の、前記光源および前記撮像素子より前記側面側に位置し、遮光性樹脂で成型されたものであることが好ましい。
【００３７】
上記の構成によれば、前記外乱光抑制手段が、前記基板上の、前記光源および前記撮像素子より前記側面側に位置し、遮光性樹脂で成型されたものである。そのため、前記外乱光抑制手段が前記側面から入射した光を遮光する。よって、撮像素子への外乱光の入射をより効果的に抑制できる。
【００３８】
また、前記外乱光抑制手段は、基板上に成型によって形成されるため、前記光源、前記撮像素子および前記外乱光抑制手段を備える基板として一体成型することができる。それゆえ、光ポインティング装置に新たな部材を設けることなく、撮像素子への外乱光の入射を抑制することができる。また、前記外乱光抑制手段は、基板上に遮光性樹脂を成型するだけであるため、光ポインティング装置の製造工程数を抑えることが容易である。
【００３９】
本発明に係る光ポインティング装置は、前記外乱光抑制手段が、遮光性樹脂で成型されたものであって、前記側面側の前記導光体の側面と接しており、前記側面を形成する光ポインティング装置の側壁であることが好ましい。
【００４０】
上記の構成によれば、前記外乱光抑制手段が、遮光性樹脂で成型されたものであって、前記側面側の前記導光体の側面と接しており、前記側面を形成する光ポインティング装置の側壁である。そのため、前記外乱光抑制手段が前記側面から入射した光を遮光する。よって、撮像素子への外乱光の入射をより効果的に抑制できる。
【００４１】
本発明に係る光ポインティング装置は、前記外乱光抑制手段が、前記被写体が接触する接触面を除く、前記導光体の上表面を覆うことが好ましい。
【００４２】
上記の構成によれば、前記外乱光抑制手段が、前記被写体が接触する接触面を除く、前記導光体の上表面を覆う。そのため、前記外乱光抑制手段は、前記側面から入射した光を遮光するだけではなく、光ポインティング装置の上表面から入射する光も遮光する。よって、撮像素子への外乱光の入射をより効果的に抑制できる。
【００４３】
本発明に係る電子機器は、前記光ポインティング装置を備えることを特徴としている。
【００４４】
上記の構成によれば、光ポインティング装置において、撮像素子への外乱光の入射を抑制することができるため、光ポインティング装置の誤動作の発生を抑制することができる。その結果、ユーザは、電子機器を高精度に動作させることができる。
【００４５】
本発明に係る電子機器は、電子機器の通常の使用態様において、前記光源と前記撮像素子を結ぶ直線と交差する光ポインティング装置の側面のうち、前記光源側の側面が下方に向くように、前記光ポインティング装置を配置することが好ましい。
【００４６】
上記の構成によれば、光源から照射された光が被写体で反射し、反射した光が導光体を導光して撮像素子で受光される。つまり、本装置では、光源から撮像素子に向かう方向に進む光が、撮像素子に入射するように設計されている。そのため、この場合、光源から撮像素子に向かう方向に入射する外乱光、つまり、光源側の側面から入射する光を防止することが効果的である。また、電子機器の通常の使用態様では、太陽光や照明光等は、電子機器の上方から照射されることが一般的である。
【００４７】
それゆえ、上記の構成のように、前記光源側の側面が下方に向くように、前記光ポインティング装置を配置することによって、光源側の側面から光が入射することを抑制することができる。よって、撮像素子への外乱光の入射をより効果的に抑制できる。
【発明の効果】
【００４８】
以上のように、本発明に係る光ポインティング装置は、被写体に光を照射する光源と、前記被写体からの反射光を反射させて内部を導光させる導光体と、前記導光体によって導光された光を受光する撮像素子とを備え、前記導光体が前記光源および前記撮像素子を保護する機能を備える光ポインティング装置であって、上記装置の少なくとも１つの側面から入射する光が前記撮像素子に入射することを抑制する外乱光抑制手段を備えている構成である。
【００４９】
したがって、光ポインティング装置を構成する部品点数を少なくすると共に、撮像素子への外乱光の入射を抑制することができるという効果を奏する。
【図面の簡単な説明】
【００５０】
【図１】本発明の第１の実施形態を示すものであり、光ポインティング装置の断面構造を示す模式図である。
【図２】本発明の第２の実施形態を示すものであり、光ポインティング装置の断面構造を示す模式図である。
【図３】本発明の第３の実施形態を示すものであり、光ポインティング装置の断面構造を示す模式図である。
【図４】本発明の第４の実施形態を示すものであり、光ポインティング装置の断面構造を示す模式図である。
【図５】本発明の第５の実施形態を示すものであり、光ポインティング装置の断面構造を示す模式図である。
【図６】本発明の第６の実施形態を示すものであり、光ポインティング装置の断面構造を示す模式図である。
【図７】本発明の第７の実施形態を示すものであり、光ポインティング装置の断面構造を示す模式図である。
【図８】本発明の第８の実施形態を示すものであり、光ポインティング装置を搭載する携帯電話機の外観を示す模式図である。
【図９】上記携帯電話機の通常の使用態様において、上記携帯電話機に照射される外乱光の照射方向を示す図である。
【図１０】図９に示す上記携帯電話機の領域Ａを拡大した図であって、上記携帯電話機およびそれに搭載された光ポインティング装置の断面構造を示す模式図である。
【図１１】導光体とカバー部とが一体成型された、薄型の光ポインティング装置の断面構造を示す模式図である。
【図１２】上記薄型の光ポインティング装置の構成要素である反射膜における光の波長に対する透過率および反射率を示す図である。
【図１３】上記薄型の光ポインティング装置の構成要素である接触面、結像素子および撮像素子の位置関係を模式的に示す図である。
【図１４】上記薄型の光ポインティング装置に照射される外乱光を示す図である。
【図１５】従来技術を示すものであり、特許文献２に記載の光学式ジョイスティックの構成を示す図である。
【発明を実施するための形態】
【００５１】
まず、本発明の前提となる光ポインティング装置について説明する。光ポインティング装置を搭載する電子機器（例えば、携帯電話機、ＰＤＡ等の携帯情報端末）には、薄型化・小型化が求められていることから、同様に、光ポインティング装置も薄型化・小型化が求められている。そこで、上記前提となる光ポインティング装置の発明者らは、図１１に示す、導光体とカバー部とが一体成型された、薄型の光ポインティング装置３０を考え出した。なお、光ポインティング装置３０は、本願出願時において未公開である。
【００５２】
光ポインティング装置３０では、光源モジュールとしてＬＥＤを用いる例を説明する。光ポインティング装置３０は、指先等の被写体に対して光を照射し、該被写体から反射された光を受光することによって、被写体の動きを検知するものである。以下に、光ポインティング装置３０の具体的な構成について説明する。
【００５３】
〔導光体とカバー部とが一体成型された光ポインティング装置の一例〕
導光体とカバー部とが一体成型された光ポインティング装置３０の一例について図１１に基づいて説明する。図１１は、導光体とカバー部とが一体成型された光ポインティング装置３０の概略断面構造図である。図示のように、光ポインティング装置３０は、基板部２６およびカバー部２７を備える。基板部２６は、回路基板１２、光源２、撮像素子３および透明樹脂１０・１１から成る。カバー部２７は、接触面５、傾斜面６を形成する折り曲げ素子２８、結像素子８および反射面７・９を含む。カバー部２７の接触面５に接触している被写体１３は、指先等の被写体であり、光ポインティング装置３０が動きを検知する対象物である。なお、ここでは光ポインティング装置３０に対する被写体１３の状態をわかりやすくするために、光ポインティング装置３０に対して便宜的に小さく記載している。
【００５４】
ここで、光ポインティング装置３０の厚み方向（図１１の縦方向）をＺ軸とし、光ポインティング装置３０の幅方向（図１１の横方向）をＹ軸とし、光ポインティング装置３０の奥行き方向をＸ軸とする。光ポインティング装置３０の下部から上部に向かう方向をＺ軸の正方向とし、光源２から撮像素子３に向かう方向をＹ軸の正方向とし、図１１に示す光ポインティング装置３０の奥側から手前側に向く方向をＸ軸の正方向とする。また、Ｚ軸の負方向を垂直方向、Ｙ軸の正方向を水平方向または導光方向とも称する。
【００５５】
まず、基板部２６の構成について説明する。図１１に示す光ポインティング装置３０では、１つの回路基板１２上に光源２および撮像素子３を搭載している。光源２および撮像素子３は、ワイヤボンドまたはフリップチップ実装にて回路基板１２と電気的に接続されている。回路基板１２には、回路が形成されている。当該回路は、光源２の発光タイミングを制御したり、撮像素子３から出力された電気信号を受けて、被写体の動きを検知したりするものである。回路基板１２は、同一材料からなる平面状のものであり、例えば、プリント基板やリードフレーム等から成る。
【００５６】
光源２は、カバー部２７の接触面５に向けて光を照射するものである。光源２から照射された光Ｍは、透明樹脂１０を介してカバー部２７の折り曲げ素子２８により屈折されて進行方向が変換されて接触面５に到達する。つまり、光Ｍは、接触面５に対して斜め方向から（接触面に対して或る入射角で）入射する。後述のようにカバー部２７は、空気よりも屈折率が大きい材質であるため、接触面５に到達した光Ｍは、接触面５上に被写体１３が無い場合、その一部が接触面５を透過し、残りの一部が接触面５で反射する。このとき、光Ｍの接触面５に対する入射角が全反射の条件を満たす場合、光Ｍは、接触面５を透過せず、全て接触面５で反射しカバー部２７内に向かう。一方、接触面５上に被写体１３がある場合、光Ｍは、接触面５と接している被写体１３の表面で反射し、カバー部２７に入射される。光源２は、例えばＬＥＤ等の光源で実現され、特に高輝度の赤外発光ダイオードで実現されることが好ましい。
【００５７】
撮像素子３は、光源２が照射した、被写体１３で反射された光（Ｌ１〜Ｌ３（以下、光Ｌ１〜Ｌ３を総称して、光源２が照射した、被写体１３で反射された光を光Ｌと称する））を受光し、受光した光に基づいて接触面５上の像を結像し、画像データに変換するものである。具体的に、撮像素子３は、ＣＭＯＳやＣＣＤ等のイメージセンサである。撮像素子３は、不図示のＤＳＰ（Digital Signal Processor：算出部）を含み、受光した光をＤＳＰに画像データとして取り込む。撮像素子３は、回路基板１２の指示に従って、接触面５上の像を一定の間隔で撮影し続ける。
【００５８】
接触面５上に接している被写体１３が移動した場合、撮像素子３が撮影する画像は、その直前に撮影した画像とは異なる画像となる。撮像素子３は、ＤＳＰにおいて、撮影した画像データとその直前の画像データとの同一箇所の値をそれぞれ比較し、被写体１３の移動量および移動方向を算出する。すなわち、接触面５上の被写体１３が移動した場合、撮影した画像データは、その直前に撮影した画像データに対して所定量ずれた値を示す画像データである。撮像素子３は、ＤＳＰにおいて、該所定量に基づいて被写体１３の移動量および移動方向を算出する。撮像素子３は、算出した移動量および移動方向を電気信号として回路基板１２に出力する。なお、ＤＳＰは、撮像素子３内ではなく、回路基板１２に含まれるものであってもよい。その場合、撮像素子３は、撮像した画像データを順番に回路基板１２に送信する。
【００５９】
撮像素子３の処理をまとめると、撮像素子３は、接触面５上に被写体１３が無い場合、接触面５の像を撮像する。次に、接触面５上に被写体１３が接触すると、撮像素子３は、接触面５と接している被写体１３の表面の像を撮像する。例えば、被写体１３が指先の場合、撮像素子３は、指先の指紋の像を撮像する。ここで、撮像素子３が撮像した画像データは、接触面５上に被写体１３が無いときの画像データと異なる画像データとなっているため、撮像素子３のＤＳＰは、接触面５上に被写体１３が接触していることを示す信号を回路基板１２に送信する。そして、被写体１３が移動すると、ＤＳＰが直前に撮像した画像データと比較して、被写体１３の移動量および移動方向を算出し、算出した移動量および移動方向を示す信号を回路基板１２に送信する。
【００６０】
光源２および撮像素子３は、透光性樹脂によって樹脂封止されており、周囲に透明樹脂１０・１１が形成されている。透光性樹脂として、例えば、シリコーン樹脂もしくはエポキシ樹脂等の熱硬化性樹脂またはＡＢＳ（Acrylonitrile Butadiene Styrene）等の熱可塑性樹脂が用いられる。
【００６１】
透明樹脂１０・１１の形状は、略直方体である。透明樹脂１０・１１の底面は、回路基板１２の上表面と密着して接しており、当該底面には、光源２および撮像素子３にそれぞれ密着する凹部が形成されている。透明樹脂１１のＹ軸の正側の側面は、回路基板１２のＹ軸の正側の側面と同一平面を形成している。なお、図１１に示す例では、透明樹脂１０のＹ軸の負側の側面と、回路基板１２のＹ軸の負側の側面とは同一平面を形成していないが、両者の側面が同一平面を形成してもよい。透明樹脂１０・１１は、一般的なトランスファーモールドによる成型方法は勿論のこと、インジェクションモールドや、ポッティングなどの他の成型方法を用いて形成されてもよい。
【００６２】
なお、透明樹脂１０は、光源２から照射された光Ｍを集光するレンズ部を備えていてもよい。透明樹脂１０に形成されるレンズ部は、光源２の上方、かつ、透明樹脂１０の上表面（天面）に位置し、半球状の形状である。
【００６３】
このように、回路基板１２上に搭載された光源２および撮像素子３がそれぞれ透光性樹脂によって樹脂封止されているため、回路基板１２、光源２、撮像素子３および透明樹脂１０・１１が一体となっている基板部２６が形成されている。そのため、光ポインティング装置３０の部品点数を減らすことができ、組み立て工程数も減らすことができる。よって、光ポインティング装置３０の製造コストを削減することができると共に、被写体１３の検知精度の高い光ポインティング装置３０を実現することができる。また、光源２および撮像素子３は、それぞれ別々に透明樹脂１０および１１で封止されている。そのため、光源２から照射された光Ｍが透明樹脂内部を伝播して撮像素子３に漏れこむことを防ぐことができる。つまり、迷光が撮像素子３に入射することを防ぐため、光ポインティング装置３０の迷光による誤動作を防ぐことができ、被写体１３を高精度に検知することができる。
【００６４】
次に、カバー部２７の構成について説明する。カバー部２７は、光源２および撮像素子３などの光ポインティング装置３０を構成する各部・各素子を保護するものである。また、上述のように、カバー部２７は、光源２から照射された光Ｌを接触面５に導光し、被写体１３からの反射光Ｌを内部で反射させて、内部を導光させるものである。
【００６５】
カバー部２７は、基板部２６の上側に位置し、基板部２６の側面および上表面に密着して接している。カバー部２７のＺ軸の負側の表面であって、基板部２６上に搭載され光ポインティング装置３０として形成されているときに外部に露出していない表面部分を、カバー部２７の裏面と称する。換言すると、カバー部２７の表面であって、基板部２６に対向する面を裏面とする。すなわち、カバー部２７の裏面の一部は、基板部２６の側面および上表面と密着して接している。カバー部２７の底面２５は、基板部２６の底面と同一平面を形成している。カバー部２７の上表面とカバー部２７の底面２５および基板部２６の底面とが平行であり、カバー部２７の両側面がカバー部２７の上表面、並びに、カバー部２７の底面２５および基板部２６の底面に対して垂直な面を形成している。すなわち、光ポインティング装置３０が略直方体の形状である。ただし、この形状に限るものではなく、カバー部２７の上表面とカバー部２７の底面２５および基板部２６の底面とが平行であればよく、カバー部２７の両側面がカバー部２７の上表面、並びに、カバー部２７の底面２５および基板部２６の底面に対して垂直な面を形成していなくてもよい。例えば、図１１に示すような光ポインティング装置３０の断面図において、光ポインティング装置３０の形状が台形状であってもよい。つまり、カバー部２７の側面が平面であれば、カバー部２７の上表面（光ポインティング装置３０の天面）のＹ軸の長さと、カバー部２７の底面２５および基板部２６の底面のＹ軸の合計の長さ（光ポインティング装置３０の底面のＹ軸の長さ）とが異なっていてもよい。
【００６６】
接触面５は、被写体１３が光ポインティング装置３０と接する面である。接触面５は、カバー部２７の上表面であって、光源２の上方に位置する。
【００６７】
折り曲げ素子（プリズム）２８は、カバー部２７の一部を構成しており、光源２の上方、且つ、接触面５の下方に位置し、カバー部２７の裏面の基板部２６と接しない部分に位置する、カバー部２７の裏面の凹部に形成される。折り曲げ素子２８には、傾斜面６が形成されており、該傾斜面６とカバー部２７の上表面とがなす狭角を傾斜角度θとする。折り曲げ素子２８は、光源２から照射された光Ｍを傾斜面６で屈折させて、被写体１３に向かうように光Ｍの経路を変換するものである。また、折り曲げ素子２８は、被写体１３から反射された光Ｌを傾斜面６で全反射させて、カバー部２７の内部であって、Ｙ軸の正方向（導光方向）に光Ｌの経路を変換するものである。換言すると、折り曲げ素子２８は、被写体１３から反射されて接触面５よりカバー部２７内部に入射した光を水平方向へ導光すべく反射するものである。傾斜面６で全反射された、被写体１３から反射された光Ｌは、後述の反射面７に向かう。このように、折り曲げ素子２８の傾斜面６は、光Ｍを透過し、光Ｌを全反射するものである。そのため、カバー部２７には、光源２の上方であって、カバー部２７と基板部２６との間の空間の屈折率より大きい屈折率である材質が用いられる。例えば、カバー部２７には、屈折率が１．５程度の可視光吸収タイプのポリカーボネート樹脂やアクリル樹脂を用いて、上記空間は空気層とすればよい。つまり、折り曲げ素子２８の傾斜面６には、光Ｌを全反射するために、アルミ反射膜などを蒸着していない。
【００６８】
結像素子８は、被写体１３からの反射光Ｌを反射して、撮像素子３上に被写体１３の像を結像するものである。具体的には、折り曲げ素子２８によって水平方向に反射された光を水平方向に対して反対方向（Ｙ軸の負方向）に反射するとともに結像するものである。結像素子８にて結像した光は、カバー部２７を出射して撮像素子３に入射する。ここで、結像素子８にて結像した光が撮像素子３に向かってカバー部２７から出射する箇所を出射部と称する。出射部は、カバー部２７の裏面の一部である。結像素子８は、カバー部２７の一部を構成しており、撮像素子３の上方、且つ、撮像素子３よりＹ軸の正方向側に位置し、カバー部２７の裏面の基板部２６と接しない部分に位置する、カバー部２７の裏面の凹部に形成される。結像素子８には、直交する２方向の曲率が異なるトロイダル面が形成されている。結像素子８は、このトロイダル面で反射光Ｌを撮像素子３に結像するように反射している。結像素子８において効率的に光Ｌを反射させるために、結像素子８のトロイダル面には、金属膜（例えば、アルミ、ニッケル、金、銀など）または、誘電体膜（誘電体ダイクロ膜）等の反射膜を蒸着させる。
【００６９】
反射面７は、傾斜面６で全反射された光Ｌを結像素子８に入射させ、結像素子８から反射された光Ｌを撮像素子３に入射させるために、光Ｌを反射するものである。反射面７は、撮像素子３の上方であって、カバー部２７の上表面に位置する。反射面７は、カバー部２７の上表面に反射膜を蒸着させて形成される。
【００７０】
反射面７を形成する反射膜は、外部に露出しており使用者によく見えるため、外観上、できるだけ目立たない膜とすることが望ましい。例えば、光源２が照射する光の波長が可視波長外の赤外波長（例えば、８００ｎｍ以上）の場合、反射面７を形成する反射膜は、図１２（ａ）に示す特性を有する赤外線反射膜であればよい。図１２（ａ）は、各波長における透過率および反射率を示す図であり、横軸に波長（ｎｍ）、縦軸に透過率および反射率（％）が示されている。図示の点線が透過率を示し、実線が反射率を示す（以下、図１２（ｂ）および（ｃ）も同様である）。反射膜の具体例として、反射面７を形成する反射膜は、光源２から照射された８００ｎｍ以上の波長帯の赤外光を反射し、８００ｎｍ以下の可視波長帯の光を透過するものであればよい。このように、光源２が照射する光の波長と、反射面７を形成する反射膜の反射率および透過率の特性を適宜設定することによって、被写体１３からの反射光Ｌを効率的に反射し、且つ、外観上は目立たない反射面７を形成することができる。
【００７１】
また、光源２が照射する光の波長が可視波長外の赤外波長（例えば、８００ｎｍ以上）の場合、カバー部２７は、図１２（ｂ）に示す特性を有する材質で形成されることが好ましい。具体的には、カバー部２７の材質を赤外光のみを透過する可視光吸収型のポリカーボネート樹脂またはアクリル樹脂にすればよい。このような材質でカバー部２７を形成することによって、カバー部２７の外部から進入してくる不要光（外乱光）のうち、可視光成分をカバー部２７で遮断することができる。そして、上述のように、赤外光を反射する反射面７を形成することによって、カバー部２７の上表面から入射する上記外乱光のうち、赤外光成分を反射面７で遮断することができる。光ポインティング装置３０のＺ軸の正側の表面（カバー部２７の上表面）から入射する外乱光を遮断することによって、該外乱光による誤動作を防ぐことができる。この場合、反射面７は、接触面５を除く、カバー部２７の上表面全面に形成されていることが好ましい。接触面５を除く、カバー部２７の上表面全面に反射面７が形成されていることにより、光ポインティング装置３０のカバー部２７の上表面から入射する外乱光をより効果的に遮断することができる。
【００７２】
さらに、光ポインティング装置３０の表面である、カバー部２７の表面に色目を付ける場合、例えば、カバー部２７の上表面および反射面７の上表面に、図１２（ｃ）に示すような所定の色（図示の例では、緑色）の波長帯のみを反射し、それ以外の波長を透過する特性を有する材料でコートすればよい。このような特性を有する材料でカバー部２７の上表面および反射面７の上表面をコートすることによって、光ポインティング装置３０の光学特性を損ねることなく、光ポインティング装置３０の表面に所望の色を付けることができる。
【００７３】
反射面９は、結像素子８から反射されて反射面７で反射された光Ｌを再度反射面７に向けて反射するものである。反射面９は、撮像素子３の上方、且つ、撮像素子３よりＹ軸の正方向側に位置し、カバー部２７の裏面に位置する。反射面９は、カバー部２７の裏面に反射膜を蒸着させて形成される。反射面９を形成する反射膜は、効率的に光を反射するものが好ましい。例えば、反射面９は、アルミ、ニッケル、金、銀などの金属、または、誘電体ダイクロ膜などを蒸着して形成される。
【００７４】
ここで、再度、光源２から照射された光が被写体１３を反射して撮像素子３に入射する経路を説明する。まず、光源２から照射された光Ｍが、折り曲げ素子２８の傾斜面６で屈折透過されて、接触面５に到達する。接触面５上に被写体１３がある場合、被写体１３の接触面５に接している表面上で、光源２から照射された光Ｍが散乱反射する。被写体１３の表面で反射された光Ｌは、折り曲げ素子２８の傾斜面６で全反射されて、進路がＹ軸の正方向に変わる。傾斜面６で全反射された光Ｌは、反射面７で反射し、結像素子８に到達する。そして、光Ｌは、結像素子８で折り返し反射されて、反射面７、反射面９、反射面７で次々と反射されて撮像素子３に入射する。
【００７５】
このとき、光源２から照射されて、被写体１３を反射して撮像素子３に入射する光Ｌのうち、撮像素子３の中央に入射する光（接触面５の中央に位置する被写体１３で反射する光）をＬ２とし、撮像素子３のＹ軸の正方向側の端部に入射する光（接触面５のＹ軸の負方向側の端部に位置する被写体１３で反射する光）をＬ１とし、撮像素子３のＹ軸の負方向側の端部に入射する光（接触面５のＹ軸の正方向側の端部に位置する被写体１３で反射する光）をＬ３とする。上述のように、光Ｌを反射して撮像素子３に結像する結像素子８を用いることによって、光Ｌ１、Ｌ２およびＬ３が撮像素子３に到達するまでの各光路長の差を小さく抑えることができる。そのため、撮像素子３におけるＹ軸方向の各光Ｌ１、Ｌ２およびＬ３の焦点ずれが発生しにくくすることができる。よって、撮像素子３における結像性能が向上し、被写体１３の像を鮮明に取得することができる。
【００７６】
図１１に示す光ポインティング装置３０において、接触面５と撮像素子３の表面を平行に配置しながら、各光Ｌ１、Ｌ２およびＬ３の光路長の差を小さく抑えることができる理由について、図１３に基づいて説明する。図１３は、接触面５、結像素子８（または結像素子８ａ）および撮像素子３の位置関係を模式的に示す図である。図１３は、接触面５の中心軸と結像素子８（または結像素子８ａ）の中心軸とがずれている場合の各光Ｌ１、Ｌ２およびＬ３の光路を示している。図１３（ａ）は、図１１に示す光ポインティング装置３０のように、光Ｌを反射する反射型レンズである結像素子８を用いた場合を示し、同図（ｂ）は、光Ｌを透過する透過型レンズである結像素子８ａを用いた場合を示す図である。
【００７７】
図１３（ａ）に示すように反射型レンズの場合、接触面５の中心軸（接触面５の中心を通る垂線）に対してレンズ中心軸を平行ではなく、傾けて結像素子８を配置する場合であっても、撮像素子３の表面を接触面５と平行に設定しながら、各光Ｌ１、Ｌ２およびＬ３における接触面５から撮像素子３の表面までの光路長の差を小さくすることができる。一方、図１３（ｂ）に示すように透過型レンズの場合、接触面５の中心軸に対して結像素子８ａのレンズ中心軸を傾けて配置すると、各光Ｌ１、Ｌ２およびＬ３の接触面５から撮像素子３の表面までの光路長の差を小さくするためには、接触面５と撮像素子３の表面とを平行ではなく、交差して配置する必要がある。そのため、透過型レンズの場合、光ポインティング装置３０の薄型化が困難となる。すなわち、接触面５の中心軸からレンズ中心軸を傾けて結像素子８を配置する場合、結像素子８として透過型レンズより反射型レンズを用いる方が、上記光路長の差を小さくしながら、光ポインティング装置３０の薄型化を図ることが容易である。
【００７８】
上述のように、図１１に示す光ポインティング装置３０では、接触面５、折り曲げ素子２８および結像素子８がカバー部２７と一体で成形されている。換言すると、接触面５と撮像素子３とを結合する撮像光学系の光学要素が全てカバー部２７に備えられている。そのため、光ポインティング装置３０の部品点数を減らすことができ、組み立て工程数も減らすことができる。また、カバー部２７を成形する金型を高精度で作成することにより、折り曲げ素子２８の傾斜面６および結像素子８を高精度に製造することができ、且つ、接触面５、折り曲げ素子２８および結像素子８の位置関係もばらつき無く高精度に配置することができる。よって、光ポインティング装置３０の製造コストを削減することができると共に、被写体の検知精度の高い光ポインティング装置３０を実現することができる。
【００７９】
従来のように、接触面、折り曲げ素子、結像素子などが別部品であって、これらの部品を組み立てる場合、各部品間の接合箇所に、組み立て用のアタリ面や嵌合形状等の形状を形成する必要があった。また、各部品の相対的な位置関係を調整するための空間的なマージンを確保しておく必要があった。しかしながら、本願のように、接触面５、折り曲げ素子２８および結像素子８をカバー部２７と一体で成形する場合、上記形状を形成する必要がなく、また、必要最小限の光学面があれば、位置を調整する空間的なマージンも確保する必要がない。よって、接触面５、折り曲げ素子２８および結像素子８をカバー部２７と一体で成形することにより、接触面５、折り曲げ素子２８および結像素子８を含むカバー部２７の厚みを小さくすることができる。それゆえ、光ポインティング装置３０の厚みを小さくすることができる。
【００８０】
また、図１１に示す光ポインティング装置３０では、基板部２６の側面および上表面をカバー部２７の位置決めの基準として、基板部２６の上方にカバー部２７を組み立てている。そのため、基板部２６とカバー部２７との位置関係を高精度に配置することができる。よって、光ポインティング装置３０を構成する各部・各素子を精度良く配置することができるため、被写体１３の検知精度の高い光ポインティング装置３０を実現することができる。
【００８１】
また、本実施形態では、光Ｌの経路（被写体１３に反射されて撮像素子３を覆う透明樹脂１１に入射するまで）が１つの部材であるカバー部２７内に収まっている。つまり、光Ｌが１つの媒質（導光体）内を伝播している。具体的には、被写体１３からの反射光Ｌがカバー部２７に入射してから、折り曲げ素子２８による水平方向への全反射、結像素子８による反射、撮像素子３への出射までが１つの媒質であるカバー部２７内で行われている。よって、異なる媒質の境界で発生する散乱反射および減衰を防ぐことができるため、撮像素子３が鮮明な像を撮像することができる。それゆえ、光ポインティング装置３０が安定的に被写体１３を高精度に検知することができる。
【００８２】
また、透明樹脂１０の側面上に、および、光Ｍが透過する箇所（上述のレンズ部が設けられている場合は、そのレンズ部）を除く、透明樹脂１０の上表面上に、遮光性樹脂を樹脂封止してもよい。また、透明樹脂１１の側面上、および被写体１３からの反射光Ｌが透過する箇所を除く透明樹脂１１の上表面上に遮光性樹脂を樹脂封止してもよい。遮光性樹脂として、透光性樹脂と同様に、例えば、シリコーン樹脂もしくはエポキシ樹脂等の熱硬化性樹脂またはＡＢＳ等の熱可塑性樹脂が用いられる。ただし、遮光性樹脂は、透光性樹脂と異なり、カーボンブラックを含む。このように、透明樹脂１０および１１の周囲に遮光性樹脂を樹脂封止することによって、光源２から照射された光が直接、または、被写体１３ではない箇所で反射して、撮像素子３に入射することを防ぐことができる。いわゆる、被写体１３からの反射光Ｌではない迷光が撮像素子３に入射することを防ぐことができる。よって、迷光による光ポインティング装置３０の誤動作を防ぐことができ、高精度に被写体１３を検知することができる。また、遮光性樹脂を透明樹脂１０および１１の周囲に樹脂封止する代わりに、透明樹脂１０の側面上および光Ｍが透過する箇所を除く上表面上、並びに、透明樹脂１１の側面上、および被写体１３からの反射光Ｌが透過する箇所を除く透明樹脂１１の上表面上を黒塗りにしたり、スリガラス状に荒らしたりしてもよい。
【００８３】
なお、遮光性樹脂を透明樹脂１０、１１の周囲に形成した場合、回路基板１２の側面と遮光性樹脂で形成される面とが同一平面になるようにする。また、カバー部２７の裏面と遮光性樹脂で形成される面とが密着して接している。そのため、遮光性樹脂で形成される面および回路基板１２の両側面を基準として、基板部２６の上方にカバー部２７を組み立てる。
【００８４】
〔光ポインティング装置３０における外乱光に関する課題〕
次に、上記の光ポインティング装置３０において、外乱光が一部撮像素子に入射する課題について図１４に基づいて説明する。図１４は、光ポインティング装置３０の概略断面構造および光ポインティング装置３０に入射する外乱光を示す図である。図１４に示すように、光ポインティング装置３０は、カバー部２７の上表面に反射面７を備えているため、カバー部２７の上表面から入射する外乱光１４を反射させて、外乱光１４が撮像素子に入射することを防止することができる。
【００８５】
ここで、一般的に、光ポインティング装置３０は、電子機器に搭載されている状態では、カバー部２７の上表面と電子機器の表面とが略同一平面を形成しているため、光ポインティング装置３０の側面（側壁）から外乱光が入射することはほとんどない。そのため、通常、光ポインティング装置３０（カバー部２７）の上表面から入射する外乱光を遮光すれば十分であり、光ポインティング装置３０の側面から入射する外乱光を考慮する必要はない。
【００８６】
ところが、ユーザに光ポインティング装置３０の位置を認識させるために、光ポインティング装置３０が電気機器の表面からわずかに突出して設置されていることがある。そのため、光ポインティング装置３０の側面から一部外乱光が入射することも考えられ、側面から入射する外乱光による誤動作を無視できない場合もある。例えば、図１４に示すように、光ポインティング装置３０には、側面（カバー部２７の側面）から入射する外乱光１６を遮光する部材が無く、外乱光１６の一部が、結像素子８、反射面７および反射面９を介して撮像素子に入射する場合がある。
【００８７】
そこで、光ポインティング装置３０の側面から入射する外乱光１６を遮光するために、光ポインティング装置の側面にも遮光膜を設けることが考えられる。しかしながら、この場合、光ポインティング装置の側面に遮光膜を形成する工程が煩雑であり、光ポインティング装置の製造工程数が増加するという問題がある。
【００８８】
一般的に、遮光膜は、蒸着あるいは印刷によって形成される。蒸着あるいは印刷による方法では、一方向から積層あるいは塗布するため、水平面もしくは斜め面への形成は容易であるが、垂直面へ形成することは困難である。そのため、垂直面である部材（または装置）の側面に膜を形成する場合、当該部材を横倒しにして、側面毎に、部材の側面を水平面にした状態で、蒸着あるいは印刷の工程を行う。その結果、光ポインティング装置の製造工程数が増加し、そして、光ポインティング装置の価格アップに繋がる。
【００８９】
また、光ポインティング装置３０は、導光体とカバー部が一体成型されているため、特許文献２に記載の光学式ジョイスティックのように、カバー部と導光体の間に外乱光を遮断する遮光部を設けることができない。
【００９０】
本発明は、光ポインティング装置３０における上記の問題点に鑑みてなされたものであり、その目的は、部品点数および／または製造工程数が少なく、かつ、光ポインティング装置の側面から入射する外乱光の撮像素子への入射を防止する光ポインティング装置およびそれを備える電子機器を実現することにある。
【００９１】
以下、図面を参照して本発明の実施形態について説明する。また、同一の機能および作用を示す部材については、同一の符号を付し、その説明を省略する。
【００９２】
〔第１の実施形態〕
本発明の第１の実施形態について図１に基づいて説明する。図１は、第１の実施形態の光ポインティング装置１の概略断面構造図である。図示のように、光ポインティング装置１は、基板部２６およびカバー部（導光体）４を備える。基板部２６は、回路基板１２、光源２、撮像素子３および透明樹脂１０・１１から成る。カバー部４は、接触面５、傾斜面６を形成する折り曲げ素子２８、結像素子８、反射面７・９および傾斜面（斜面）１７を形成する散乱素子（外乱光抑制手段）２９を含む。このように、光ポインティング装置１では、図１４に示す光ポインティング装置３０と異なり、カバー部４が傾斜面１７を形成する散乱素子２９を含んでいる。
【００９３】
散乱素子２９は、カバー部４の一部を構成しており、カバー部４のＹ軸の負側かつＺ軸の正側の端部（角）に位置する。散乱素子２９に形成されている傾斜面１７は、平面であり、カバー部４の上表面と、カバー部４のＹ軸の負側の側面との間に位置し、カバー部４の上表面、および、カバー部４のＹ軸の負側の側面と接している。
【００９４】
また、傾斜面１７は、カバー部４の上表面、および、カバー部４のＹ軸の負側の側面に対して所定の角度で傾いている。傾斜面１７のカバー部４の上表面、または、カバー部４のＹ軸の負側の側面に対する角度は、カバー部４、結像素子８、反射面７・９および撮像素子３の位置関係や、カバー部４および結像素子８の形状等に基づいて、外乱光１６が撮像素子３に入射することを防止または抑制できる角度に設計することが好ましい。
【００９５】
散乱素子２９は、例えば、図１４に示す光ポインティング装置３０のカバー部２７のＹ軸の負側かつＺ軸の正側の角（カバー部２７の上表面のＹ軸の負側かつＺ軸の正側の稜辺）を平面で面取りすることによって形成される。
【００９６】
散乱素子２９は、外乱光１６を反射または屈折させて、撮像素子３に外乱光１６が入射することを防止または抑制するものである。図１に示すように、散乱素子２９が傾斜面１７で外乱光１６を屈折または反射させることによって、図１４に示すように、外乱光１６が結像素子８に入射することがない。すなわち、散乱素子２９が形成されることにより、カバー部４のＹ軸の負側の側面から入射する（Ｙ軸の正側方向の）外乱光１６が、撮像素子３に入射することを防止または抑制することができる。
【００９７】
上述のように、散乱素子２９の傾斜面１７は、光ポインティング装置３０のカバー部２７のＹ軸の負側かつＺ軸の正側の稜辺を平面で切り落とすことによって形成されるため、外乱光１６を遮光する新たな部材を設けることなく、外乱光１６の入射を防止することができる。また、カバー部２７の稜辺を面取りするだけであるため、光ポインティング装置３０のカバー部２７の側面に遮光膜を形成することに比べて、外乱光１６の入射を防止可能な光ポインティング装置の製造工程数を少なくすることができる。
【００９８】
なお、傾斜面１７の表面は鏡面仕上げといった極力凹凸の少ない平坦な構造が望ましい。これにより、傾斜面１７において、設計通りに外乱光１６を反射または屈折させることができるため、撮像素子３への外乱光１６の入射をより効果的に阻止できる。
【００９９】
また、図１に示す例では、散乱素子２９をカバー部４のＹ軸の負側かつＺ軸の正側の端部にだけ設けているが、これに限るものではない。例えば、散乱素子２９を、カバー部４のＹ軸の正側かつＺ軸の正側の端部に設けてもよいし、カバー部４のＸ軸の正側かつＺ軸の正側の端部に設けてもよいし、カバー部４のＸ軸の負側かつＺ軸の正側の端部に設けてもよい。散乱素子２９は、カバー部４に最大４箇所設けてもよく、また、少なくともカバー部４の１箇所に設けられていればよい。
【０１００】
すなわち、散乱素子２９は、図１４に示す光ポインティング装置３０のカバー部２７のＹ軸の正側かつＺ軸の正側の稜辺を平面で面取りして形成してもよいし、カバー部２７のＸ軸の正側かつＺ軸の正側の稜辺を平面で面取りして形成してもよいし、カバー部２７のＸ軸の負側かつＺ軸の正側の稜辺を平面で面取りして形成してもよい。つまり、散乱素子２９は、カバー部２７の上表面と接する４稜辺全てを平面で面取りして形成してもよいし、カバー部２７の上表面と接する少なくとも１稜辺を平面で面取りして形成してもよい。
【０１０１】
このように、複数箇所に散乱素子２９を設けることによって、外乱光１６の入射をより防止することができる。また、散乱素子２９を４箇所に設けることにより、光ポインティング装置１の外観上（形状）のバランスを低下させることなく、また、指での操作時に違和感が発生することのない、操作性が低下しない光ポインティング装置を提供することができる。
【０１０２】
また、図１に示す光ポインティング装置１の構造（カバー部４、結像素子８、反射面７・９および撮像素子３の位置関係や、カバー部４および結像素子８の形状等）の場合、カバー部４のＹ軸の負側の側面から入射する外乱光１６が、その他の側面から入射する外乱光に比べて、撮像素子３に入射する可能性が高い、つまり、外乱光１６により誤動作が発生する可能性が高い。よって、図１に示す例では、光ポインティング装置１のカバー部４のＹ軸の負側かつＺ軸の正側に散乱素子２９を設けている。このように、撮像素子に入射する可能性が高い外乱光を防ぐように、カバー部４の所定の端部に散乱素子２９を設けることが好ましい。
【０１０３】
具体的には、図１に示す光ポインティング装置１では、光源２から照射された光Ｍは、接触面５で被写体１３に反射され、被写体１３で反射された光Ｌは、カバー部４内部でＹ軸の正方向（水平方向）に反射されて撮像素子３に入射する。すなわち、光源２から照射された光が、カバー部４内部を光源２から撮像素子３に向かう方向に導光する。この場合、光源２から撮像素子３に向かう方向に入射する外乱光を防止することが効果的であるため、光源２と撮像素子３とを結ぶ直線と交差する側面のうち、光源２側の側面からの外乱光を防止することが望ましい。よって、光源２と撮像素子３とを結ぶ直線と交差する、光源２側の側面とカバー部４の上表面との間に、散乱素子２９を設ければよい。
【０１０４】
〔第２の実施形態〕
本発明の第２の実施形態について図２に基づいて説明する。図２は、第２の実施形態の光ポインティング装置１ａの概略断面構造図である。光ポインティング装置１ａは、光ポインティング装置１のカバー部４ａの散乱素子２９の表面（傾斜面１７）上に遮光膜（反射膜、吸収膜）１８を設けたものである。その他の点については、光ポインティング装置１ａの構造は、光ポインティング装置１と同様であるため、ここでは主に、光ポインティング装置１ａの光ポインティング装置１と異なる点について説明する。
【０１０５】
遮光膜１８は、散乱素子２９の表面上に位置する反射膜または吸収膜であり、外乱光１６を反射または吸収するものである。遮光膜１８が外乱光を反射する反射膜である場合、遮光膜１８は、例えば、アルミ、銀、金等の金属膜や、誘電体ダイクロ膜などである。また、遮光膜１８が外乱光をその場で吸収する吸収膜である場合、遮光膜１８は、例えば、カーボンブラックを混ぜた塗料や墨などで形成された膜である。
【０１０６】
散乱素子２９の表面は、垂直面ではなく、水平面に対して傾斜している斜め面であるため、上述のように、蒸着または印刷によって、傾斜面１７上に容易に遮光膜を形成することができる。
【０１０７】
このように、傾斜面１７の表面に遮光膜１８を設けることにより、より外乱光１６の遮光効果を高めることが可能になる。具体的には、遮光膜１８が反射膜の場合、外乱光１６の反射率をより高めることができ、光ポインティング装置１ａ内部への外乱光１６の流入を阻止することができる。一方、遮光膜１８が吸収膜の場合、外乱光１６を散乱素子２９の表面で吸収することにより、反射膜の場合と同様に、光ポインティング装置１ａ内部への外乱光１６の流入を阻止することができる。
【０１０８】
また、遮光膜１８として、反射膜および吸収膜のどちらでも適用することができるため、光ポインティング装置１ａのデザイン選択の範囲を広めることができる。その結果、光ポインティング装置１ａを搭載する電子機器のデザインに整合させることができる。
【０１０９】
なお、散乱素子２９が複数箇所に設けられている場合、傾斜面１７への遮光膜１８の塗布は１箇所だけではなく、複数の散乱素子２９の表面上に遮光膜１８を設けてもよい。例えば、散乱素子２９が４箇所設けられており、これら全てに遮光膜１８を設けた場合、外乱光阻止の効果をより向上することができ、かつ、第１の実施形態と同様に、バランスのとれた形状の光ポインティング装置１ａを提供することが可能である。
【０１１０】
〔第３の実施形態〕
本発明の第３の実施形態について図３に基づいて説明する。図３は、第３の実施形態の光ポインティング装置１ｂの概略断面構造図である。光ポインティング装置１ｂでは、光ポインティング装置１のカバー部４の散乱素子２９の表面が平面ではなく、カバー部４ｂに凸型の曲面である湾曲面（斜面）１９で形成される散乱素子２９ｂが設けられている。散乱素子２９ｂの形状が異なる以外は、光ポインティング装置１ｂの構造は、光ポインティング装置１と同様であるため、ここでは主に、光ポインティング装置１ｂの光ポインティング装置１と異なる点について説明する。
【０１１１】
散乱素子２９ｂは、カバー部４ｂの一部を構成しており、カバー部４ｂのＹ軸の負側かつＺ軸の正側の端部（角）に位置する。散乱素子２９ｂに形成されている湾曲面１９は、凸型の曲面であり、カバー部４ｂの上表面と、カバー部４ｂのＹ軸の負側の側面との間に位置し、カバー部４ｂの上表面、および、カバー部４ｂのＹ軸の負側の側面と接している。
【０１１２】
また、湾曲面１９は、カバー部４ｂの上表面、または、カバー部４ｂのＹ軸の負側の側面から、連続的に傾いた面で形成されている。湾曲面１９の曲率は、カバー部４ｂ、結像素子８、反射面７・９および撮像素子３の位置関係や、カバー部４ｂおよび結像素子８の形状等に基づいて、外乱光１６が撮像素子３に入射することを防止または抑制できる曲率に設計することが好ましい。
【０１１３】
散乱素子２９ｂは、例えば、図１４に示す光ポインティング装置３０のカバー部２７のＹ軸の負側かつＺ軸の正側の角（カバー部２７の上表面のＹ軸の負側かつＺ軸の正側の稜辺）をＲ（アール）で面取りすることによって形成される。
【０１１４】
散乱素子２９ｂは、外乱光１６を反射または屈折させて、撮像素子３に外乱光１６が入射することを防止または抑制するものである。図３に示すように、散乱素子２９ｂが湾曲面１９で外乱光１６を屈折または反射させることによって、図１４に示すように、外乱光１６が結像素子８に入射することがない。すなわち、散乱素子２９ｂが形成されることにより、カバー部４ｂのＹ軸の負側の側面から入射する（Ｙ軸の正側方向の）外乱光１６が、撮像素子３に入射することを防止または抑制することができる。
【０１１５】
上述のように、散乱素子２９ｂの湾曲面１９は、光ポインティング装置３０のカバー部２７のＹ軸の負側かつＺ軸の正側の稜辺をＲで面取りすることによって形成されるため、外乱光１６を遮光する新たな部材を設けることなく、外乱光１６の入射を防止することができる。また、カバー部２７の稜辺を面取りするだけであるため、光ポインティング装置３０のカバー部２７の側面に遮光膜を形成することに比べて、外乱光１６の入射を防止可能な光ポインティング装置の製造工程数を少なくすることができる。
【０１１６】
なお、図示はしないが、第３の実施形態にも第２の実施形態同様、湾曲面１９の表面上に遮光膜１８を設けてもよい。
【０１１７】
〔第４の実施形態〕
本発明の第４の実施形態について図４に基づいて説明する。図４は、第４の実施形態の光ポインティング装置１ｃの概略断面構造図である。光ポインティング装置１ｃでは、光ポインティング装置１のカバー部４の散乱素子２９の表面が均一な平面ではなく、カバー部４ｃに凹凸のある階段状傾斜面（斜面）２０で形成される散乱素子２９ｃが設けられている。散乱素子２９ｃの表面の形状が異なる以外は、光ポインティング装置１ｃの構造は、光ポインティング装置１と同様であるため、ここでは主に、光ポインティング装置１ｃの光ポインティング装置１と異なる点について説明する。
【０１１８】
散乱素子２９ｃは、カバー部４ｃの一部を構成しており、カバー部４ｃのＹ軸の負側かつＺ軸の正側の端部（角）に位置する。散乱素子２９ｃに形成されている階段状傾斜面２０は、表面に階段状の凹凸があり、カバー部４ｃの上表面と、カバー部４ｃのＹ軸の負側の側面との間に位置し、カバー部４ｃの上表面、および、カバー部４ｃのＹ軸の負側の側面と接している。
【０１１９】
また、階段状傾斜面２０は、カバー部４ｃの上表面、および、カバー部４ｃのＹ軸の負側の側面に対して所定の角度で傾いている。階段状傾斜面２０のカバー部４ｃの上表面、または、カバー部４ｃのＹ軸の負側の側面に対する角度（カバー部４ｃの上表面と階段状傾斜面２０との間の稜辺と、カバー部４ｃの側面と階段状傾斜面２０との間の稜辺との間を結ぶ垂線の当該上表面または当該側面に対する角度）は、カバー部４ｃ、結像素子８、反射面７・９および撮像素子３の位置関係や、カバー部４ｃおよび結像素子８の形状等に基づいて、外乱光１６が撮像素子３に入射することを防止または抑制できる角度に設計することが好ましい。
【０１２０】
散乱素子２９ｃは、例えば、図１４に示す光ポインティング装置３０のカバー部２７のＹ軸の負側かつＺ軸の正側の角（カバー部２７の上表面のＹ軸の負側かつＺ軸の正側の稜辺）を、表面が階段状の凹凸面になるように、面取りすることによって形成される。
【０１２１】
散乱素子２９ｃは、外乱光１６を反射または屈折させて、撮像素子３に外乱光１６が入射することを防止または抑制するものである。図４に示すように、散乱素子２９ｃが階段状傾斜面２０で外乱光１６を屈折または反射させることによって、図１４に示すように、外乱光１６が結像素子８に入射することがない。すなわち、散乱素子２９ｃが形成されることにより、カバー部４ｃのＹ軸の負側の側面から入射する（Ｙ軸の正側方向の）外乱光１６が、撮像素子３に入射することを防止または抑制することができる。
【０１２２】
上述のように、散乱素子２９ｃの階段状傾斜面２０は、光ポインティング装置３０のカバー部２７のＹ軸の負側かつＺ軸の正側の稜辺を切り落とすことによって形成されるため、外乱光１６を遮光する新たな部材を設けることなく、外乱光１６の入射を防止することができる。また、カバー部２７の稜辺を面取りするだけであるため、光ポインティング装置３０のカバー部２７の側面に遮光膜を形成することに比べて、外乱光１６の入射を防止可能な光ポインティング装置の製造工程数を少なくすることができる。
【０１２３】
なお、階段状傾斜面２０の表面は規則的な凹凸面であってもよいし、不規則な凹凸面であってもよい。また、階段状傾斜面２０の表面は、細かい凹凸面であることが望ましい。これにより、階段状傾斜面２０において、外乱光１６がより散乱するため、撮像素子３への入射する外乱光１６を減衰させることができる。
【０１２４】
また、図示はしないが、第４の実施形態にも第２の実施形態同様、階段状傾斜面２０の表面上に遮光膜１８を設けてもよい。また、第３の実施形態における湾曲面１９の表面を、本実施形態と同様に、外乱光１６をより散乱するように凹凸面に加工してもよい。
【０１２５】
また、第４の実施形態にも第２の実施形態同様、階段状傾斜面２０の表面上に遮光膜１８を設けてもよい。
【０１２６】
〔第５の実施形態〕
本発明の第５の実施形態について図５に基づいて説明する。図５は、第５の実施形態の光ポインティング装置１ｄの概略断面構造図である。図示のように、光ポインティング装置１ｄは、基板部２６ｄおよびカバー部４ｄを備える。基板部２６ｄは、回路基板１２、光源２、撮像素子３、透明樹脂１０ｄ・１１および遮光樹脂（外乱光抑制手段）２１から成る。カバー部４ｄは、接触面５、傾斜面６を形成する折り曲げ素子２８、結像素子８および反射面７・９を含む。このように、光ポインティング装置１ｄでは、図１４に示す光ポインティング装置３０と異なり、基板部２６ｄが遮光樹脂２１を含んでいる。
【０１２７】
遮光樹脂２１は、カバー部４ｄの側面から入射してきた外乱光１６を遮光するものである。遮光樹脂２１は、板状の形状であり、光を透過しない遮光性（非透過性）樹脂をトランスファーモールド、インジェクションモールド、ポッティングなどの成型方法によって形成したものである。なお、遮光樹脂２１は、光源２を封止している透明樹脂１０ｄ、および、撮像素子３を封止している透明樹脂１１を成型する際に、遮光性樹脂を使用して同時もしくは段階的に形成してもよい。遮光性樹脂として、例えば、カーボンブラックを含む樹脂であって、シリコーン樹脂もしくはエポキシ樹脂等の熱硬化性樹脂またはＡＢＳ等の熱可塑性樹脂が用いられる。
【０１２８】
遮光樹脂２１は、図５に示すように、回路基板１２上に位置し、光源２および光源２を封止する透明樹脂１０ｄよりＹ軸の負側に位置する。すなわち、遮光樹脂２１は、カバー部４ｄのＹ軸の負側の側面と、光源２との間に位置する。換言すると、遮光樹脂２１の底面は、回路基板１２の上表面と密着して接している。また、遮光樹脂２１のＹ軸の正側の側面の下部は、透明樹脂１０ｄと密着して接しており、遮光樹脂２１のＹ軸の正側の側面の上部は、カバー部４ｄと密着して接している。さらに、遮光樹脂２１の天面（上表面）およびＹ軸の負側の側面は、カバー部４ｄと密着して接している。
【０１２９】
図５に示すように、遮光樹脂２１が外乱光１６を遮光することによって、図１４に示すように、外乱光１６が結像素子８に入射することがない。すなわち、遮光樹脂２１がカバー部４ｄ内部に配置されることにより、カバー部４ｄのＹ軸の負側の側面から入射する（Ｙ軸の正側方向の）外乱光１６が、撮像素子３に入射することを防止または抑制することができる。
【０１３０】
上述のように、遮光樹脂２１は、回路基板１２上に成型によって形成されるため、基板部２６ｄとして一体成型される。それゆえ、光ポインティング装置に外乱光１６を遮光する新たな部材を設けることなく、外乱光１６の入射を防止することができる。また、回路基板１２上に遮光性樹脂を成型するだけであるため、光ポインティング装置３０のカバー部２７の側面に遮光膜を形成することに比べて、外乱光１６の入射を防止可能な光ポインティング装置の製造工程数を少なくすることができる。
【０１３１】
また、カバー部４ｄ内部に遮光樹脂２１を設けることにより、カバー部の外部に露出する表面上に外乱光を防止する手段を設ける場合と比較して、光ポインティング装置１ｄのカバー部４ｄの形状、特に外観の制約が少なくなるため、本実施形態では、カバー部４ｄの上表面の平坦性を活かした光ポインティング装置１ｄのデザインが可能である。
【０１３２】
なお、遮光樹脂２１の厚みは、外乱光１６を遮光するために十分な厚みであればよい。また、遮光樹脂２１の天面とカバー部４ｄの上表面との間の間隙、つまり、遮光樹脂２１の上方のカバー部４ｄの厚みは、外部の衝撃等から光源２および撮像素子３等を保護するために十分な強度を有する厚みであり、外乱光１６を遮光するためにできるだけ薄い（間隙が狭い）ことが好ましい。
【０１３３】
また、図５に示す例では、遮光樹脂２１を、カバー部４ｄのＹ軸の負側の側面と光源２との間に（カバー部４ｄ内部のＹ軸の負側に）だけ設けているが、これに限るものではない。例えば、カバー部４ｄのＹ軸の正側の側面と結像素子８（撮像素子３）との間に（カバー部４ｄ内部のＹ軸の正側に）設けてもよいし、カバー部４ｄのＸ軸の正側の側面と光源２および撮像素子３との間に（カバー部４ｄ内部のＸ軸の正側に）設けてもよいし、カバー部４ｄのＸ軸の負側の側面と光源２および撮像素子３との間に（カバー部４ｄ内部のＸ軸の負側に）設けてもよい。遮光樹脂２１は、カバー部４ｄ内部に最大４箇所設けてもよく、また、少なくともカバー部４ｄ内部の１箇所に設けられていればよい。このように、複数箇所に遮光樹脂２１を設けることによって、外乱光１６の入射をより防止することができる。
【０１３４】
〔第６の実施形態〕
本発明の第６の実施形態について図６に基づいて説明する。図６は、第６の実施形態の光ポインティング装置１ｅの概略断面構造図である。図示のように、光ポインティング装置１ｅは、基板部２６およびカバー部４ｅを備える。基板部２６は、回路基板１２、光源２、撮像素子３および透明樹脂１０・１１から成る。カバー部４ｅは、接触面５、傾斜面６を形成する折り曲げ素子２８、結像素子８および反射面７・９を一体成型した導光体２２と、遮光カバー部（外乱光抑制手段）２３とを含む。このように、光ポインティング装置１ｅでは、図１４に示す光ポインティング装置３０と異なり、カバー部４ｅが導光体２２および遮光カバー部２３の２つの部材で構成されている。
【０１３５】
導光体２２は、光源２から照射された光Ｍを接触面５に導光し、被写体１３で反射された光Ｌを、撮像素子３に向けて出射するように導光体２２内部で導光させるものである。つまり、導光体２２は、図１４に示す光ポインティング装置３０のカバー部２７における、光ＭおよびＬを導光する光学的な機能を有するものである。
【０１３６】
導光体２２は、基板部２６の上側に位置し、導光体２２の反射面９のＺ軸の負側の表面は、基板部２６の透明樹脂１１の上表面に密着して接している。なお、反射面９のＺ軸の負側の表面と、導光体２２のＺ軸の負側の表面とが同一平面を形成してもよい。この場合、導光体２２のＺ軸の負側の表面および反射面９のＺ軸の負側の表面が透明樹脂１１の上表面に密着して接している。また、導光体２２のＹ軸の負側の側面および正側の側面は、それぞれ遮光カバー部２３と密着して接している。
【０１３７】
遮光カバー部２３は、カバー部４ｅの側面から入射してきた外乱光１６を遮光するものである。遮光カバー部２３は、カバー部４ｅの側壁を形成するものである。すなわち、図６に示す、Ｙ軸の正側の遮光カバー部２３は、回路基板１２のＹ軸の正側の側面と、透明樹脂１１のＹ軸の正側の側面および上表面のＹ軸の正側の一部と、導光体２２のＹ軸の正側の側面と、それぞれ密着して接している。また、Ｙ軸の負側の遮光カバー部２３は、回路基板１２のＹ軸の負側の側面および上表面のＹ軸の負側の一部と、透明樹脂１０のＹ軸の負側の側面および上表面のＹ軸の負側の一部と、導光体２２のＹ軸の負側の側面と、それぞれ密着して接している。また、図６に示すように、Ｙ軸の正側の遮光カバー部２３は、結像素子８よりＹ軸の正側に位置し、Ｙ軸の負側の遮光カバー部２３は、光源２よりＹ軸の負側に位置する。
【０１３８】
遮光カバー部２３は、光を透過しない遮光性樹脂をトランスファーモールド、インジェクションモールド、ポッティングなどの成型方法によって形成したものである。遮光性樹脂として、例えば、カーボンブラックを含む樹脂であって、シリコーン樹脂もしくはエポキシ樹脂等の熱硬化性樹脂またはＡＢＳ等の熱可塑性樹脂が用いられる。
【０１３９】
このように、光ポインティング装置１ｅでは、導光体２２が光ＭおよびＬを導光する光学的な機能を備え、導光体２２および遮光カバー部２３の両者が、光源２および撮像素子３などの光ポインティング装置１ｅを構成する各部・各素子を保護する。なお、導光体２２の上表面と、遮光カバー部２３の上表面とで、同一平面を形成する。
【０１４０】
図６に示すように、遮光カバー部２３が外乱光１６を遮光することによって、図１４に示すように、外乱光１６が結像素子８に入射することがない。すなわち、カバー部４ｅが遮光カバー部２３を備えることにより、カバー部４ｅのＹ軸の負側の側面から入射する（Ｙ軸の正側方向の）外乱光１６が、撮像素子３に入射することを防止または抑制することができる。
【０１４１】
上述のように、被写体１３を検知する光ＭおよびＬを導光する導光体２２と、外乱光を遮光する遮光カバー部２３とを形成して、２つの部材からカバー部４ｅを形成するため、光ポインティング装置を構成する部品数、および、光ポインティング装置の製造工程数が従来に比べて少なく、かつ、外乱光１６の入射を防止する光ポインティング装置を実現することができる。
【０１４２】
なお、図６に示す例では、カバー部４ｅのＹ軸の負側および正側の側壁を遮光カバー部２３で構成しているが、これに限るものではない。例えば、カバー部４ｅのＸ軸の負側および正側の側壁を遮光カバー部２３で構成してもよい。遮光カバー部２３は、カバー部４ｅの全ての側壁として形成してもよいし、また、少なくともカバー部４ｅの１つの側壁として形成していればよい。
【０１４３】
このように、カバー部４ｅの複数の側壁に遮光カバー部２３を設けることによって、外乱光１６の入射をより防止することができる。また、遮光カバー部２３をカバー部４ｅの全ての側壁として形成することにより、光ポインティング装置１ｅの外観上（形状）のバランスを維持することが容易な光ポインティング装置を提供することができる。
【０１４４】
〔第７の実施形態〕
本発明の第７の実施形態について図７に基づいて説明する。図７は、第７の実施形態の光ポインティング装置１ｆの概略断面構造図である。光ポインティング装置１ｆでは、光ポインティング装置１ｅのカバー部４ｅを構成する導光体２２および遮光カバー部２３と比較して、カバー部４ｆを構成する導光体２２ｆおよび遮光カバー部２３ｆの機能は同じであるが、それらの形状が異なっている。導光体２２ｆおよび遮光カバー部２３ｆの形状が異なる以外は、光ポインティング装置１ｆの構造は、光ポインティング装置１ｅと同様であるため、ここでは主に、光ポインティング装置１ｆの光ポインティング装置１ｅと異なる点について説明する。
【０１４５】
図７に示すように、光ポインティング装置１ｆでは、導光体２２ｆにおいて、接触面５のみを外部に露出し、反射面７の上方を遮光カバー部２３ｆで覆う構成としている。つまり、光ポインティング装置１ｆの上表面が、遮光カバー部２３ｆの上表面と、導光体２２ｆの接触面５の領域の上表面とで形成されている。
【０１４６】
具体的には、遮光カバー部２３ｆでは、Ｙ軸の負側の遮光カバー部２３ｆは、図６に示す遮光カバー部２３と同じ形状であるが、Ｙ軸の正側の遮光カバー部２３ｆは、側壁部分（図６に示すＹ軸の正側の遮光カバー部２３）の上部から板状に延伸している。換言すると、Ｙ軸の正側の遮光カバー部２３ｆは、略Ｌ字型の形状を成している。
【０１４７】
また、導光体２２ｆでは、接触面５と、反射面７とが略同一平面上にあるのではなく、接触面５と、反射面７との間で段差が形成されている。そして、導光体２２ｆは、Ｙ軸の負側の側面は、Ｙ軸の負側の遮光カバー部２３ｆの側面と密着して接しており、Ｙ軸の正側の側面は、Ｙ軸の正側の遮光カバー部２３ｆの側面と密着して接している。なお、図示の例では、反射面７の上表面と、Ｙ軸の正側の遮光カバー部２３ｆの板状部分のＺ軸の負側の表面との間に間隙が形成されているが、両表面は、密着して接していてもよい。
【０１４８】
このように、光ポインティング装置１ｆでは、導光体２２ｆの接触面５を除いて、遮光カバー部２３ｆが覆っているため、側面から入射する外乱光１６だけではなく、光ポインティング装置１ｆの上表面から入射する外乱光も遮光することができる。また、接触面５を除いて、同じ材質である遮光カバー部２３ｆで光ポインティング装置１ｆの外部に露出する面を形成するため、光ポインティング装置１ｅの外観上（形状）のバランスを維持することが容易であるとともに、ユーザに接触面５の位置を示すことができる。
【０１４９】
〔第８の実施形態〕
次に、光ポインティング装置を搭載した電子機器について、図８を用いて説明する。図８は、光ポインティング装置１０７を搭載した携帯電話機（電子機器）１００の外観を示す図である。図８（ａ）は携帯電話機１００の正面図であり、（ｂ）は携帯電話機１００の背面図であり、（ｃ）は携帯電話機１００の側面図である。図８では、電子機器として携帯電話機である例を示しているがこれに限定されるものではない。電子機器として、例えば、ＰＣ（特にモバイルＰＣ）、ＰＤＡ、ゲーム機、テレビ等のリモコンなどであってもよい。
【０１５０】
図８に示すように、携帯電話機１００は、モニター側筐体１０１および操作側筐体１０２を備える。モニター側筐体１０１は、モニター部１０５およびスピーカー部１０６を含み、操作側筐体１０２は、マイク部１０３、テンキー１０４および光ポインティング装置１０７を含む。携帯電話機１００に搭載される光ポインティング装置１０７は、上述の第１〜７の実施形態で説明した光ポインティング装置１、１ａ、１ｂ、１ｃ、１ｄ、１ｅ、１ｆの何れも適用可能である。
【０１５１】
なお、本実施形態において、光ポインティング装置１０７は、図８（ａ）に示すように、テンキー１０４の上部に配置されているが、光ポインティング装置１０７の配置方法およびその向きについては、これに限定されるわけではない。また、一般的には、光ポインティング装置１０７は、ユーザの操作性の観点から、テンキー１０４の近くに配置されることが多い。
【０１５２】
スピーカー部１０６は、音声情報を外部に出力するものであり、マイク部１０３は音声情報を携帯電話機１００に入力するものである。モニター部１０５は、映像情報を出力するものであり、本実施形態においては、光ポインティング装置１０７からの入力情報を表示するものである。
【０１５３】
なお、本実施形態の携帯電話機１００は、図８（ａ）〜図８（ｃ）に示すように、上部の筐体（モニター側筐体１０１）と下部の筐体（操作側筐体１０２）とがヒンジを介して接続されている、いわゆる折りたたみ式の携帯電話機１００を例として挙げている。携帯電話機１００として、折りたたみ式が主流であるため、本実施形態では折りたたみ式の携帯電話機を一例として挙げているのであって、光ポインティング装置１０７を搭載することができる携帯電話機１００は、折りたたみ式に限るものではない。
【０１５４】
近年、折りたたみ式の携帯電話機１００において、折りたたんだ状態で厚みが１０ｍｍ以下のものも登場してきている。携帯電話機１００の携帯性を考慮するならば、その厚みは極めて重要な要素となっている。図８に示す操作側筐体１０２において、図示されない内部の回路基板等を除いて、その厚みを決定する部品は、マイク部１０３、テンキー１０４、光ポインティング装置１０７である。この中で、光ポインティング装置１０７の厚さが最も厚く、光ポインティング装置１０７の薄型化は、携帯電話機１００の薄型化に直接繋がる。よって、上述のように薄型化可能な本発明の光ポインティング装置は、携帯電話機１００のような薄型化を必要とする電子機器に対して好適な発明である。
【０１５５】
図８に示す携帯電話機１００では、ユーザが、モニター側筐体１０１を上にして操作側筐体１０２を持ち、親指等でテンキー１０４や光ポインティング装置１０７を操作することを想定して設計されている。また、通常、ユーザは、このような使用態様で携帯電話機１００を操作することが多い。
【０１５６】
そのため、図９に示すように、ユーザが携帯電話機１００を屋外の太陽光の下で、または、屋内の照明灯直下で使用する場合、携帯電話機１００（光ポインティング装置１０７）の上方から、太陽光または照明光である外乱光１１０が光ポインティング装置１０７に照射される可能性が高い。
【０１５７】
よって、外乱光１１０による誤動作の発生を抑制するために、外乱光が入射すると撮像素子３に入射する可能性が高い、光源２側の側面１２１を、通常の使用態様において外乱光１１０が入射する方向に対して反対の方向に向けて、光ポインティング装置１０７を携帯電話機１００に搭載する。具体的には、図１０に示すように、携帯電話機１００（操作側筐体１０２）の下側に、光源２側の側面１２１を向けて搭載する。換言すると、図１０のように、光源２から撮像素子３に向かう方向に入射する外乱光を防止するため、光源２と撮像素子３とを結ぶ直線Ｂと交差する、光ポインティング装置１０７の側面（側面１２１、１２２）のうち、光源２側の側面１２１を下方に向けて、光ポインティング装置１０７を携帯電話機１００に搭載する。
【０１５８】
さらに別の表現をすると、図１０に示すように、ユーザが通常の使用態様で携帯電話機１００を使用する場合において、導光体への最適となる光Ｌ０の入射角度θＬが小さくなる方向（図１０に示すθＬの矢印の方向）を、携帯電話機１００の下側に向くように光ポインティング装置１０７を取り付ける。ここで、導光体への最適となる光Ｌ０とは、光源２から照射された光Ｍが被写体１３で反射されて、撮像素子３が受光し、被写体１３の動きを正常に検知する場合において、光源２から照射された光Ｍが被写体１３で反射されてから接触面５に到達するまでの光Ｌのことを意味する。また、入射角度θＬとは、光ポインティング装置１０７を水平にしたときの水平面（光ポインティング装置１０７の上表面）に対する光Ｌ０の光ポインティング装置１０７への入射角度である。すなわち、携帯電話機１００の通常の使用態様において、光源２から照射された光Ｍが被写体１３に反射されて導光体に入射するまでの光Ｌ０の導光体の上表面に対する入射角度θＬが小さくなる方向が下方に向くように、光ポインティング装置１０７を配置する。
【０１５９】
このように光ポインティング装置１０７を配置することによって、ユーザが通常の使用態様で携帯電話機１００を使用する場合、光ポインティング装置１０７における、外乱光が最も撮像素子３に入射しやすい方向が、操作に使用する親指の根元側、すなわちユーザ（操作者）側に向くことになる。そのため、屋外の太陽光が照りつける様な環境や、屋内の照明灯直下で使用する様な環境で使用する場合、携帯電話機１００に照射する外乱光１１０は、ユーザの親指や、ユーザ自身によって遮蔽され、光ポインティング装置１０７に直接照射される可能性が低下する。その結果、外乱光１１０が照射する環境で携帯電話機１００を使用する場合であっても、外乱光１１０による誤動作が発生することを抑制することができる。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明は、ＰＣや携帯電話機などの入力装置に利用することができ、特に小型、薄型を要求される携帯機器に好適に利用することができる。
【符号の説明】
【０１６２】
１、１ａ、１ｂ、１ｃ、１ｄ、１ｅ、１ｆ    光ポインティング装置
２    光源
３    撮像素子
４、４ａ、４ｂ、４ｃ、４ｄ    カバー部（導光体）
４ｅ、４ｆ    カバー部
５    接触面
１３    被写体
１７    傾斜面（斜面）
１８    遮光膜（反射膜、吸収膜）
１９    湾曲面（斜面）
２０    階段状傾斜面（斜面）
２１    遮光樹脂（外乱光抑制手段）
２２、２２ｆ    導光体
２３、２３ｆ    遮光カバー部（外乱光抑制手段）
２９、２９ｂ、２９ｃ    散乱素子（外乱光抑制手段）
１００    携帯電話機（電子機器）
１０７    光ポインティング装置
【図１】
2012048569.tif 000003
【図２】
2012048569.tif 000004
【図３】
2012048569.tif 000005
【図４】
2012048569.tif 000006
【図５】
2012048569.tif 000007
【図６】
2012048569.tif 000008
【図７】
2012048569.tif 000009
【図８】
2012048569.tif 000010
【図９】
2012048569.tif 000011
【図１０】
2012048569.tif 000012
【図１１】
2012048569.tif 000013
【図１２】
2012048569.tif 000014
【図１３】
2012048569.tif 000015
【図１４】
2012048569.tif 000016
【図１５】
2012048569.tif 000017